Podtech/llm-jp-corpus-v4-ja_patent huggingface dataset:
(57)【要約】      （修正有）【課題】旅行時など衣類の汚れを気にせず楽しく飲食ができ、又思わず増えた土産物の荷物をまとめて、楽に持ち運びが出来るエプロンを提供する。【解決手段】正方形の布の四方の端を三っ折りに縫い、４５度倒してバイヤスに使う。ゴム紐の取り付けをＡ点から、垂直になるように、１・２に取り付ける。これによってエプロンの前胸線がきれいに出来る。Ｂの角の方にボタンホ−ルＤの角にはボタンをつけて、後ろでＢ・Ｄをボタンであわせる。Ｅは幅１．５ｃｍ長さ４５ｃｍゴム紐である。ゴム紐を首にかけると、Ａ点角が身体側に折れ込み、Ｂ・Ｄをそれぞれ後ろに回すと、１点とＢ・２点とＤの端布も身体側に折れ込まれる。【選択図】図１
0003100656.tif 000002
【実用新案登録請求の範囲】
【請求項１】
身体にやさしいおしゃれなエプロンであり、風呂敷のように品物を包み、肩にかけショルダ−にもなる。
【考案の詳細な説明】
【考案の詳細な説明】
【０００１】  エプロンの首に掛けるところがゴム紐のため、肩に負担がかからない。
【０００２】  エプロンの布地をバイヤスにして作成するため、身体にそってシルエットがきれいに見える。
【０００３】  広げて品物を包み、肩に掛けて手荷物を運ぶのに楽である。    ［考案の効果］  旅行時など衣類の汚れを気にせず楽しく飲食ができ、又思わず増えた土産物の荷物をまとめて、楽に持ち運びが出来る。
【図面の簡単な説明】
【図１】出来上がりエプロシキである。
【図２】作成方法  正方形の布の四方の端を三っ折りに縫い、４５度倒してバイヤスに使う。ゴム紐の取り付けをＡ点から、垂直になるように、１・２に取り付ける。これによってエプロンの前胸線がきれいに出来る。Ｂの角の方にボタンホ−ルＤの角にはボタンをつけて、後ろでＢ・Ｄをボタンであわせる。Ｅは幅１．５ｃｍ長さ４５ｃｍゴム紐である。ゴム紐を首にかけると、Ａ点角が身体側に折れ込み、Ｂ・Ｄをそれぞれ後ろに回すと、１点とＢ・２点とＤの端布も身体側に折れ込まれます。
【図１】
0003100656.tif 000003
【図２】
0003100656.tif 000004
【手続補正書】
【提出日】平成15年10月6日(2003.10.6)
【手続補正１】
【補正対象書類名】実用新案登録請求の範囲
【補正対象項目名】全文
【補正方法】変更
【補正の内容】
【実用新案登録請求の範囲】
【請求項１】
正方形の布地に首を通す為のゴ厶紐を取り付けたことを特徴とするエプロン。
(57)【要約】【課題】  明るい所でしか目盛りが見えず、暗い所では使用不可能なコンベックスルールを、暗い所でも使用可能にする。【解決手段】  電球を、目盛りが見える位置にセットし、ボタンを押す（ロックを降ろす）と電球が点灯するようにする。【選択図】図１
0003100652.tif 000002
【実用新案登録請求の範囲】
【請求項１】
暗い場所でボタン（１）を押すと、電球（３）が点灯し、テープの目盛り（４）を照らすコンベックスルール。
【請求項２】
暗い場所でロック（２）を降ろすと、電球（３）が点灯し、テープの目盛り（４）を照らし、その点灯を維持することの出来るコンベックスルール。
【考案の詳細な説明】
【技術分野】
【０００１】本考案は、暗い場所でも目盛りの見えるコンベックスルール。
【背景技術】
【０００２】横置き使いの出来巻尺。
【考案の開示】
【考案が解決しようとする課題】
【０００３】従来型では、暗い場所では目盛りが見えない。
【課題を解決するための手段】
【０００４】暗い場所でも目盛りが見える様に電球を点灯させる。
【考案の効果】
【０００５】暗い場所でも電球を点灯させることにより、目盛りが見える様になる。
【考案を実施するための最良の形態】
【０００６】普段暗い場所では目盛りが見えず使用できないが、電球を点灯させることにより、目盛りが見え使用することが可能になる。
【図面の簡単な説明】
【０００７】
【図１】ボタン型を示した側面図である。
【図２】ロック型を示した側面図である。
【符号の説明】
【０００８】１  ボタン、押すと電球が点灯し、離すときえる。２  ロック、下へ降ろすと電球が、点灯したまま点灯の状態を維持できる。３  電球４  コンベックスルールのテープ（目盛り）面。
【図１】
0003100652.tif 000003
【図２】
0003100652.tif 000004
【手続補正書】
【提出日】平成15年10月27日(2003.10.27)
【手続補正１】
【補正対象書類名】実用新案登録請求の範囲
【補正対象項目名】全文
【補正方法】変更
【補正の内容】
【実用新案登録請求の範囲】
【請求項１】
コンベックスルールの内部に、３電球、８電池を取り付け、３電球と８電池を結ぶための５銅プレート１、６銅プレート２、７銅プレート３も、それぞれ取り付ける、さらに１ボタンも外部側に少し出し、内部側に取り付ける、１ボタンを押すと、５銅プレート１が６銅プレート２に接触し、３電球が点灯し、４テープの目盛りを照らして、暗い所でも４テープの目盛りが見える様になり１ボタンを離すと６銅プレート２から５銅プレート１が離れ３電球が消える仕組みの、コンベックスルール。
【請求項２】
コンベックスルールの内部に、３電球、８電池を取り付け、３電球と８電池を結ぶための５銅プレート１、６銅プレート２、７銅プレート３も、それぞれ取り付ける、さらに２ロックを外部側から、指で上下に動かせる様に、取り付ける、２ロックを下へ下げると５銅プレート１が６銅プレート２に接触し、３電球が点灯し、４テープの目盛りを照らして、暗い所でも４テープの目盛りが見える様になり２ロックを上へ上げると６銅プレート２から５銅プレート１が離れ３電球が消える仕組みの、コンベックスルール。
【手続補正２】
【補正対象書類名】図面
【補正対象項目名】全図
【補正方法】変更
【補正の内容】
【図１】
0003100652.tif 000005
【図２】
0003100652.tif 000006
【手続補正３】
【補正対象書類名】明細書
【補正対象項目名】０００８
【補正方法】変更
【補正の内容】
【０００８】          ５  銅プレート１          ６  銅プレート２          ７  銅プレート３          ８  電池
(57)【要約】      （修正有）【課題】ペットボトルからラベルフイルムを簡単に剥ぎ取れるようにする。【解決手段】ペットボトル１のラベルフイルム２に付いているミシン目３の位置がひと目でわかる様に、幅１ｃｍで高さ１．５ｃｍのインデックス４を付け、指先で摘まんで引っ張ることができる様にした。【選択図】図１
0003100655.tif 000002
【実用新案登録請求の範囲】
【請求項１】
ペットボトルのラベルフイルムを剥ぎ取るためにミシン目が付いている、その位置にインデックスを付けた。
【考案の詳細な説明】
【考案の詳細な説明】
【考案が解決しようとする問題】
【０００１】ペットボトルのリサイクルが起動に乗ってきた現在、市町村で回収する場合各家庭にラベルフイルムを剥ぎ取って分別排出を依頼しています。  ラベルフイルムを剥ぎ取らないで排出される物が４０％ぐらい有ります。  ペットボトルとラベルフイルムが密着しているので薄い道具を使わないとラベルフイルムを掴む事が出来ない、又ミシン目が見えにくい為、手間がかかって、簡単に剥ぎ取る事の出来ない。
【問題を解決するための手段】
【０００２】  上記の目的を達成するためにペットボトルのラベル剥ぎ取り用ミシン目の位置に幅１ｃｍ、高さ１．５ｃｍ程のインデックスを付けることにした。
【考案の効果】
【０００３】本考案はペットボトル、ラベルフイルムの剥ぎ取り用ミシン目にインデックスを付ける事にした、剥ぎ取り用ミシン目の位置を知ることが出来るのと、同時にインデックス摘まんで引っ張ることが出来るので、ラベルフイルムを簡単に剥ぎ取ることが出来る。よってペットボトルの回収率も上がり、リサイクルにも効果現れます。
【図面の簡単な説明】
【図１】ペットボトル本体１、ラベルフイルム２、にミシン目があります、ミシン目３、の位置に幅１ｃｍで高さ１．５ｃｍのインデックス４、を付けた正面図。
【図２】ペットボトル１、ラベルフイルム２、にインデックス４、を付けた側面図。
【符号の説明】
１：  ペットボトル本体２：  ラベルフイルム３：  剥ぎ取り用ミシン目４：  インデックス（ミシン目の位置の見出しと剥ぎ取る為の摘み代）
【図１】
0003100655.tif 000003
【図２】
0003100655.tif 000004
【手続補正書】
【提出日】平成15年10月3日(2003.10.3)
【手続補正１】
【補正対象書類名】実用新案登録請求の範囲
【補正対象項目名】全文
【補正方法】変更
【補正の内容】
【実用新案登録請求の範囲】
【請求項１】
ペットボトルのラベルフイルムを剥ぎ取るためにミシン目がついている、その位置にインデックスを付けた、ペットボトルのラベルフイルム，剥ぎ取り用のインデックス。
(57)【要約】      （修正有）【課題】発熱した乳幼児の解熱を目的とした乳幼児冷却ベストを提供する。【解決手段】衣類（ベスト）の素材は、メッシュ素材等の通気性の良いもの。冷却剤を挿入するポケットを首筋、両脇、両太腿の裏側部に計５箇所配置する。冷却剤ポケット部には、冷えすぎ防止のカバーの役割を果たす素材を用いる。股の部分にて前身ごろと後身ごろを固定するボタンを配置する。前身ごろ同士も同様、ボタンにて固定する。【選択図】図１
0003100659.tif 000002
【実用新案登録請求の範囲】
【請求項１】
発熱した乳幼児に、首筋・両脇・両大腿の裏部分に保冷剤を有した衣類（ベスト）を身につけさせる。
【考案の詳細な説明】
【技術分野】
【０００１】  本考案は乳幼児の発熱時、解熱を目的とする技術に関する考案である。
【技術背景】
【０００２】  従来の冷却着には、脇の下のみを冷却する技術が開示されている（例えば、特許文献１参照）。
【特許文献１】特願平１１−２００７４２
【考案の開示】
【考案が解決しようとする課題】
【０００３】  乳幼児が発熱した際、医師より、首筋・脇の下・太腿の付け根を冷却するよう指示を受けるが、動き回る乳幼児に対して、冷却剤をあてるのは困難である。
【課題を解決するための手段】
【０００４】  発熱した乳幼児に、首筋・両脇・両大腿の裏部分に保冷剤を有した衣類（ベスト）を身につけさせる。
【考案の効果】
【０００５】  必要な部位に冷却剤をあてることができるので、動き回る乳幼児に対して効率的な解熱処置を施すことができる。【０００６】  現段階では両脇に対しての冷却案のみ開示されているが、首筋、両大腿部付け根を冷却する考案が加わり、冷却効率が上がる。
【考案を実施するための最良の形態】
【０００７】  衣類（ベスト）の素材は、メッシュ素材等の通気性の良いもの。冷却剤を挿入するポケットを首筋、両脇、両太腿の裏側部に計５箇所配置する。冷却剤ポケット部には、冷えすぎ防止のカバーの役割を果たす素材を用いる。股の部分にて前身ごろと後身ごろを固定するボタンを配置する。前身ごろ同士も同様、ボタンにて固定する。
【図面の簡単な説明】
【０００８】
【図１】乳幼児冷却ベストの平面図
【符号の説明】
【０００９】          １  首筋部冷却ポケット
２  右脇部冷却ポケット
３  左脇部冷却ポケット
４  右大腿部冷却ポケット
５  左大腿部冷却ポケット
６  前後身ごろ固定ボタン
７  左右前身ごろ固定ボタン
【図１】
0003100659.tif 000003
【手続補正書】
【提出日】平成15年10月14日(2003.10.14)
【手続補正１】
【補正対象書類名】実用新案登録請求の範囲
【補正対象項目名】全文
【補正方法】変更
【補正の内容】
【実用新案登録請求の範囲】
【請求項１】
首筋部・両脇部・両大腿の裏部に保冷剤を挿入するポケットを有する乳幼児冷却ベスト
(57)【要約】      （修正有）【課題】中啓（扇の一種）を持ち運び時、鞄に直接入れたり、衣類と共に風呂敷等でくるむと、型くずれや色の剥げ落ちることのないカバーを提供する。【解決手段】中啓本体２の扇部分に、同じ形状にした硬質素材のカバー１をかぶせることによって、傷みから保護できるようにする。【選択図】図１
0003100654.tif 000002
【実用新案登録請求の範囲】
【請求項１】
中啓の扇部分全体を包むことにより、持ち運び時や保存時に生じる変形等の障害を防ぐことのできるカバー。
【考案の詳細な説明】
【考案の詳細な説明】
【考案が解決しようとする課題】
【０００１】僧侶が所持したり、舞踊で用いる扇の中啓は、閉じた状態においても紙質の扇部分が開いているため、持ち運び時、鞄に直接入れたり衣類と共に風呂敷等でくるむと、型くずれや色の剥げ落ちが起きるという問題点があった。
【課題を解決するための手段】
【０００２】中啓２の扇部分に、同形状の筒状の硬質素材のカバー・本考案本体１をかぶせ、傷みから保護するようにした。使用は、中啓を柄の方から挿入させるだけであり、中啓２の飛び出しを防ぐ、マジックテープ付きの帯状の蓋３がある。
【考案の効果】
【０００３】考案のカバーが中啓の扇部分と同形状のため、持ち運び時や保存時にかさばらず、また中啓の出し入れにも支障がないことなど、中啓を美形のまま保てる。
【図面の簡単な説明】
【図１】中啓と本考案の使用状況を示す立面図である。
【図２】本考案の使用状況を示す側面図である。
【符号の説明】
１  本考案本体
２  中啓
３  マジックテープ付きの帯状の蓋
【図１】
0003100654.tif 000003
【図２】
0003100654.tif 000004
【手続補正書】
【提出日】平成15年10月6日(2003.10.6)
【手続補正２】
【補正対象書類名】実用新案登録請求の範囲
【補正対象項目名】全文
【補正方法】変更
【補正の内容】
【実用新案登録請求の範囲】
【請求項１】
硬質素材からなる扇形で筒状のカバーであって、先端と基端とに開口があり、先端側から中啓の柄を入れ、該柄を基端側の開口から外部に突出させることで筒状カバー内に中啓の扇部分を収容可能としたことを特徴とする中啓用保護カバー。
【手続補正３】
【補正対象書類名】明細書
【補正対象項目名】全文
【補正方法】変更
【補正の内容】
【考案の詳細な説明】
【技術分野】
【０００１】  本考案は、扇の中啓を収容する中啓用保護カバーに関する。
【背景技術】
【０００２】  僧侶が所持したり、舞踏で用いる扇の中啓は、閉じた状態においても紙質の扇部分が開いているため、持ち運び時、鞄に直接入れたり衣類と共に風呂敷等でくるむと、型くずれや色の剥げ落ちが起きるという問題点があった。
【考案の開示】
【考案が解決しようとする課題】
【０００３】  本考案は、上記の問題の解決を図ることを目的としている。
【課題を解決するための手段】
【０００４】  上記の目的を達成するために本考案の中啓用保護カバーは、硬質素材からなる扇形で筒状のカバーであって、先端と基端とに開口があり、先端側から中啓の柄を入れ、該柄を基端側の開口から外部に突出させることで筒状カバー内に中啓の扇部分を収容可能としたことを特徴としている。
【考案の効果】
【０００５】考案のカバーが中啓の扇部分と同形状のため、持ち運び時や保存時にかさばらず、また、中啓の出し入れにも支障がないことなど、中啓を美形のまま保てる。
【考案を実施するための最良の形態】
【０００６】  中啓２の扇部分に、同形状の筒状の硬質素材のカバー１をかぶせ、傷みから保護するようにした。使用は、中啓を柄の方から挿入させるだけであり、中啓２の飛び出しを防ぐ、面ファスナー付きの帯状の蓋３がある。
【図面の簡単な説明】
【０００７】
【図１】中啓と本考案の中啓用保護カバーの使用状況を示す斜視図である。
【図２】本考案の使用状況を示す側面図である。
【符号の説明】
【０００８】１カバー
２    中啓
３蓋
(57)【要約】      （修正有）【目的】病院、学校、研究所工場等ボンベを搬入搬出する時に、横並び積運搬車では通れない幅の通路や入口でも、ボンベ１本積運搬車の幅があれば２本同時に運搬することができる高圧ガスボンベの縦並び２本運搬車の提供。【構成】高圧ガスボンベの縦並びに載せるボンベ乗せ板６と、転倒転落防止のガードパイプ３、クサリ１を備えた運搬車。【選択図】図１
0003100653.tif 000002
【実用新案登録請求の範囲】
【請求項１】
高圧ガスボンベを縦並び２本積にして運搬する運搬車。
【考案の詳細な説明】
【考案の詳細な説明】
【産業上の利用分野】
【０００１】この考案は、高圧ガスボンベを運搬するために使用する運搬車に関するものである。
【背景技術】
【０００２】従来、高圧ガスボンベの２本積運搬車は、横並びに積むものだけである。
【考案が解決しようとする課題】
【０００３】従来の高圧ガスボンベの２本積運搬車は、横並びに積むため横巾が広くなる。そのため、通路に物が置いてある場合や、人が往来している場合は運搬に支障をきたす。また、入口や通路が狭い場合は通れない。１本づつ運搬すると、本数が多い場合は、何回も往復しなければならないので、時間と労力を要します。本案は、高圧ガスボンベの２本積運搬車で横巾を出来るだけ狭くしようと考えた。
【課題を解決するための手段】
【０００４】高圧ガスボンベの２本積運搬車の横巾を出来るだけ狭くする為に、高圧ガスボンベを縦並びに積載出来るようにした。さらに、積載して運搬する場合転倒転落しないように、ガードパイプとクサリ掛けを設けた。
【作用】
【０００５】高圧ガスボンベを２本同時に運搬する。
【実施例】
【０００６】高圧ガスボンベを病院、学校、研究所、工場等に搬入搬出する時に使用する。
【考案の効果】
【０００７】通路や入り口が狭い所でも、高圧ガスボンベを２本同時に運搬する事が出る。
【図面の簡単な説明】
【図１】  本考案の斜視図
【図２】  本考案品に高圧ガスボンベを積載した状態図
【符号の説明】
（１）  はクサリ
（２）  はクサリ止め
（３）  はガードパイプ
（４）  は固定車輪
（５）  は自在車輪
（６）  はボンベ乗せ板
【図１】
0003100653.tif 000003
【図２】
0003100653.tif 000004
【手続補正書】
【提出日】平成15年10月6日(2003.10.6)
【手続補正１】
【補正対象書類名】実用新案登録請求の範囲
【補正対象項目名】全文
【補正方法】変更
【補正の内容】
【実用新案登録請求の範囲】
【請求項１】
高圧ガスボンベが縦並びに２本乗るボンベ乗せ板６と、転倒転落防止のガードパイプ３及びクサリ１、クサリ止め２、及び固定車輪４、自在車輪５、折帯板８を設けパイプ９で骨組した高圧ガスボンベの縦並び２本積運搬車。
【手続補正２】
【補正対象書類名】明細書
【補正対象項目名】全文
【補正方法】変更
【補正の内容】
【考案の詳細な説明】
【技術分野】
【０００１】  本考案は、高圧ガスボンベを２本同時に縦並び積にして運ぶ、ボンベ運搬車に関するものである。
【技術背景】
【０００２】  高圧ガスボンベを２本同時に運ぶ場合、横並び積の運搬車を使用していた。
【考案の開示】
【考案が解決しようとする課題】
【０００３】  高圧ガスボンベの横並び２本積運搬車は幅が広い為、通路に物が置いてある場合や人が往来している場合は運搬に支障をきたした。また、エレベーターの入口やドアの入口が狭い場合は通れない。従って、縦並び２本積にすることにより運搬車の幅を狭くして、前述の欠点を解決しようとするものである。
【課題を解決するための手段】
【０００４】  本考案は運搬車の横幅を狭くする為、ボンベ乗せ板６を縦並びに２本乗る形状にし、かつ、安全に運搬する為にガードパイプ３及びクサリ１、クサリ止め２を設けて転倒転落防止を行うことにより、問題点を解決している。
【考案の効果】
【０００５】  上述の様に、本考案の高圧ガスボンベの縦並び２本積運搬車は、病院、学校、研究所工場等にボンベを搬入搬出する時に、横並び積運搬車では通れない幅の通路や入口でも、ボンベ１本積運搬車の幅があれば２本同時に運搬する事が出来る。
【考案を実施するための最良の形態】
【０００６】  以下、本考案の実施例について説明する。手持部１のパイプを押し上げて、ボンベ乗せ板６を地盤面に水平に接地した状態にする。そして、高圧ガスボンベ１本をボンベ乗せ板の奥の方に立てて乗せる。次にもう１本を手前の方に立てて乗せて、クサリ１を掛ける。その状態で手持部のパイプを押し下げると、自在車輪５が同時に後退して折帯板８が直線状になって止まる。２本のボンベは、縦に斜め積みの状態となり、この状態で運搬する。降ろす時は手持部のパイプを押し上げると、ボンベは直立して乗せ板が地盤面に水平に接地した状態になる。この時同時に、自在車輪が前進して帯板は折りたたみ状態となる。次にクサリを外してボンベを１本ずつボンベ乗せ板から降ろす。
【図面の簡単な説明】
【０００７】
【図１】本考案の斜視図である。
【図２】本考案に高圧ガスボンベを積載した斜視図である。
【符号の説明】
【０００８】    １  クサリ    ２  クサリ止め    ３  ガードパイプ    ４  固定車輪    ５  自在車輪    ６  ボンベ乗せ板    ７  手持部    ８  折帯板    ９  パイプ  １０  高圧ガスボンベ
【手続補正３】
【補正対象書類名】図面
【補正対象項目名】全図
【補正方法】変更
【補正の内容】
【図１】
0003100653.tif 000005
【図２】
0003100653.tif 000006
(57)【要約】
【課題】年間を通して飲料水の水温を一定に保ち、殺菌された飲料水を供給する事を目的とする。
【解決手段】受水槽内に冷媒用配管・熱交換コイル・撹拌装置・紫外線殺菌ランプ・冷温水サーモスタットを一体化した装置を設置し、受水槽外に冷温水発生器・四路切替弁を取り付けた装置である。
【選択図】    図１
0003100658.tif 000002
【実用新案登録請求の範囲】
【請求項１】
冷媒用配管・熱交換コイル・撹拌装置・紫外線殺菌ランプ・冷温水サーモスタットを一体化した装置を受水槽内に設置し、受水槽外に冷温水発生器の中に四路切替弁を取り付けた装置で、冷媒ガスの循環を利用した受水槽定温維持・殺菌装置。
【考案の詳細な説明】
【技術分野】
【０００１】本考案は集合住宅（マンション・テナントビル等）に設置されている受水槽内の水を一定の温度に保ち、殺菌された飲料水として供給する装置に関するものである。
【背景技術】
【０００２】水道水を受水槽に貯水し、ポンプ等で水を屋上の高架水槽に汲み上げて高架水槽より各階に供給するか、受水槽よりポンプ圧で直接各階に供給している。
【考案の開示】
【考案が解決しようとする課題】
【０００３】受水槽の水を年間を通して一定の温度１６℃〜２０℃に保ち、飲料水として供給する事を目的とする。【０００４】受水槽の一般細菌・大腸菌等を殺菌する事により、安心して飲める飲料水として供給することを目的する。
【課題を解決するための手段】
【０００５】上記目的を達成するために、本考案は冷暖房装置を基本として、受水槽内に、冷媒用配管・熱交換コイル・撹拌装置・冷温水サーモスタット・紫外線殺菌ランプを設置し、受水槽外に冷温水発生器・四路切替弁を設置した装置である。【０００６】冷暖房装置を基本として、四路切替弁により受水槽内の熱交換コイルで蒸発・凝縮させ、撹拌装置・冷温水サーモスタットを使用する事等により、一定温度を維持する事を可能とする。【０００７】撹拌装置を使用する事により、水の対流を起こし、紫外線殺菌ランプの近くを全体の水が通過し、より殺菌性が増大する。
【考案の効果】
【０００８】本考案に係わる受水槽定温維持・殺菌装置は一般に受水槽式給水方式の水を、外気の気温に左右されずに、夏は冷たく、冬は暖かく感じる年間温度１６℃〜２０℃の飲料水を供給できる。【０００９】紫外線殺菌ランプ（４）（４−１）を使用する事により、一般細菌・大腸菌等を死滅させ飲料水の安全性がより増大する。
【考案を実施するための最良の形態】
【００１０】本考案の実施例について
【図１】
に基づいて説明する。
受水槽外に設置された冷温水発生器（６）で、夏は圧縮・凝縮された冷媒ガスを、冬は圧縮・蒸発された冷媒ガスを、冷媒用配管（１）を通じ、螺旋状に巻いた熱交換コイル（２）に送り、通過する時に熱交換を計る。
【００１１】水中に取り付けた冷温水サーモスタット（５）で飲料水を一定温度１６℃〜２０℃に維持する。四路切替弁（７）により夏・冬の冷媒ガスの流れを変える事により、冬は暖房回路で温水を、夏は冷房回路で冷水を作る。
【００１２】撹拌装置（３）で強制的に対流を起こし、受水槽内の熱効率を高める。
【００１３】撹拌装置（３）で強制的に対流を起こす事により、紫外線殺菌ランプ（４）（４−１）付近を水全体が通過する事になり殺菌効果を良くする。
【図面の簡単な説明】
【００１４】
【図１】  受水槽内外に設置された本考案装置縦断正面図〔紫外線殺菌ランプ（浸水式）〕
【図２】  受水槽内外に設置された本考案装置縦断正面図〔紫外線殺菌ランプ（外照式）〕
【図３】  本考案装置の上部平面図
【符号の説明】
【００１５】  （１）冷媒用配管
（２）熱交換コイル
（３）撹拌装置
（４）紫外線殺菌ランプ（浸水式）
（４−１）    〃      （外照式）
（５）冷温水サーモスタット
（６）冷温水発生器
（７）四路切替弁
【図１】
0003100658.tif 000003
【図２】
0003100658.tif 000004
【図３】
0003100658.tif 000005
(57)【要約】      （修正有）【課題】多重折カード式を採用した小型携帯方式の情報地図である。単・複数の駅前や駅口など選定された周辺地図とそれら地図内に存在する店舗・会社・施設等の所在地を番号等を割り当てて表示する。加えて、地図内に表現されてる店舗・会社・施設等の情報または有益情報を同カード内にコンパクトに掲載。利用者の視点に立ち、掲載されている情報を手軽に利用出来る様に、多重折カードの小型携帯方式を採用する。【解決手段】小型街地図を無料配布することにより、その街を訪れる人々の街行動を円滑・促進することができる。小型街地図には複数の選別された地域周辺地図を掲載することにより、行動範囲を拡大することができる。地図上に店舗番号等を付すことにより、所在地を明らかにする。店舗詳細情報をコンピューター・携帯端末に地図上の店舗番号等からの検索をすることにより、従来の特典取得などの情報取得時間を短縮・簡素化できる。【選択図】図３
0003100643.tif 000002
【実用新案登録請求の範囲】
【請求項１】
形状
多重折を採用することで、コンパクトに携帯できる様にしたカード式小型携帯情報地図である。
折りを重ねることで、名刺もしくは名刺大の大きさまで形状操作が可能であり、利用者が携帯するにあたり違和感を感じさせない形状、かつ、大きさに工夫されている。
【請求項２】
地図面
駅前や駅口など選定された地域における周辺地図に周辺店舗情報・会社情報・施設情報などを番号等にて多重折カード式小型携帯地図上に表現・記載する。
周辺地図は複数の掲載も可能とした。
また、コンピュータや携帯情報端末から情報入手するための入手経路も記載。
【請求項３】
情報面
周辺店舗情報・会社情報・施設情報を各項目（カテゴリ）に分け記載。各店舗情報・会社情報・施設情報に番号等を付し、地図上の番号等と合致させ整合性が取れるようにする。
記載される情報の項目としては主に、名称、連絡先、サービス内容、特典情報、等が挙げられる。
【請求項４】
掲載情報利用
コンピュータ、携帯端末を用いて利用する。
地図面もしくは情報面に付されている指定番号等にて情報入力、もしくは指定検索項目等を端末入力すると該当店舗・会社・施設等の情報
もしくは特典を入手できる。
【考案の詳細な説明】
多重折カード式小型携帯地図に周辺店舗・会社・施設等の情報を掲載。掲載地図数は、単もしくは複数とし、情報の掲載方法としては、各店舗・会社・施設等に番号等を付し番号等で所在地を表現し、わかりやすさ、使いやすさ、見易さを訴求する。
店舗・会社・施設等の情報は同カードの別箇所に別途記載し、地図上の番号等と情報番号等が合致し整合性が取れるように各々番号等を割り当てる。
掲載されたサービスや特典情報を利用する場合には、コンピュータ、携帯電話等の情報端末を使い情報入手する。
情報入手方法は、地図面、情報面に付された番号入力等で入手できる工夫を施し利便性、利用性を向上させた。
【図面の簡単な説明】
【図１】
多重折カード式小型携帯地図を閉じた状態を記載した平面図である。
【図２】
多重折カード式小型携帯地図を開いた状態を記載した平面図であり周辺地図数や情報量によって開いた際の大きさは変化する。
【図３】
多重折カード式小型携帯地図に、周辺情報を番号等にて表示し、同様にそれら周辺情報の入手経路も記載した平面図である。
【図４】
周辺店舗情報・会社情報・施設情報等が記載。図３の地図に付された番号等と図４との情報番号の整合性が取れるよう情報表示された平面図である。
【符号の説明】
Ａ．  店舗・会社・施設所在地
Ｂ．  サービスカテゴリ（分類）
Ｃ．  情報入手先（入手経路）
Ｄ．  所在地番号と同番号の店舗・会社・施設番号
Ｅ．  サービスカテゴリ（分類）
Ｆ．  店舗・会社・施設名称
Ｇ．  連絡先
Ｈ．  店舗・会社・施設のサービス詳細情報ロゴ
Ｉ．  特典情報
Ｊ．  サービス種類カテゴリ（分類）
Ｋ．  タイトル
Ｌ．  名刺もしくは名刺大サイズ
Ｍ．  地図情報、情報掲載面
【図１】
0003100643.tif 000003
【図２】
0003100643.tif 000004
【図３】
0003100643.tif 000005
【図４】
0003100643.tif 000006
【手続補正書】
【提出日】平成15年10月7日(2003.10.7)
【手続補正１】
【補正対象書類名】明細書
【補正対象項目名】実用新案登録請求の範囲
【補正方法】変更
【補正の内容】
【実用新案登録請求の範囲】
【請求項１】
形状
１．多重折を採用することで、コンパクトに携帯できる様にしたカード式小型携帯情報地図である。
２．名刺もしくは名刺大の大きさまで折り重ねる。
３．利用者が携帯するにあたり違和感を感じさせない大きさまで形状操作が可能。
以上の構成からなる多重折カード式携帯情報地図。
【請求項２】
地図面
駅前や駅口など選定された地域における周辺地図に周辺店舗情報会社情報・施設情報などを番号等にて表現・記載された多重折カード式小型携帯地図。
(57)【要約】
【課題】女性等が、ストッキング又はパンティストッキング等を着用時の不安感を解消するものである。
【解決手段】マジックテープ等装着時の、ストッキング又はパンティストッキング（１）、（２）を着用時、両足をくっつけることによって、両足は蜜着して勝手に開かず、立上がったり又、使用しない時は、指で簡単に脱着できるものである。
【選択図】  図１
図２
0003100647.tif 000002
【実用新案登録請求の範囲】
【請求項１】
女性等が着用している、ストッキング又はパンティストッキング等に、マジックテープ等を装着することを特徴とする、両足固定具である。
【考案の詳細な説明】
【技術分野】
【０００１】この考案は、ストッキング又はパンティストッキング等着用時の、両足内側部分に、マジックテープを装着することによって、両足を閉じるとマジックテープどおしがくっつき合って、両足が蜜着して開かない様にする為の、ストッキング又はパンティストッキングに、関するものである。
【背景技術】
【０００２】従来は、本人自身が自力で、両足を意識して蜜着していた。
【考案が解決しようとする課題】
【０００３】例えば、女性等が電車の座席又は、公園のベンチ等に座っている場合つい両足が開いてしまい、恥ずかしい思いをすることがあったが、意識的に両足をくっつけることによって、マジックテープの効果によりストッキングごと両足が蜜着して離れない安心感を得ることができる。
【問題を解決するための手段】
【０００４】この考案は、それらの問題を解決するために発案されたもので、それを図面について説明すれば、マジックテープを両足のストッキング又はパンティストッキングの内側に装着（１）、（２）したものであり、足を閉じた時にマジックテープどおしが作用して両足が蜜着（３）する。
【実施例】
【０００５】なお、実施にあたっては次のような考えられる。
（イ）マジックテープは、できるだけ小さい方が良く、互いに少しずらした位置に装着すれば、歩行時にマジックテープどおしが、こすれ合うこともない。
（ロ）又、使用後外すときは、両足の間に指を入れて少しひねるだけで、簡単に外れて繰り返し使用できるものである。
【考案の効果】
【０００６】したがって、例えば女性等がスカート又はスラックス等を着用して着席時、両足が勝手に開かず恥ずかしい思いをする事も無くなり又、座席スタイルの矯正にも役立ものである。
【図面の簡単な説明】
【図１】本考案の一部（両足）を示した図面である。
【図２】本考案の実施例を示す斜視図である。
【符号の説明】
１  マジックテープ装着例（右足）
２  マジックテープ装着例（左足）
３  実施時のマジックテープ蜜着点の例
【図１】
0003100647.tif 000003
【図２】
0003100647.tif 000004
【手続補正書】
【提出日】平成15年10月27日(2003.10.27)
【手続補正１】
【補正対象書類名】実用新案登録請求の範囲
【補正対象項目名】全文
【補正方法】変更
【補正の内容】
【実用新案登録請求の範囲】
【請求項１】
女性等が着用している、ストッキング（又はパンティストッキング）等に、脱着用粘着テープ等を装着することを特徴とする、両足固定具。
【手続補正２】
【補正対象書類名】明細書
【補正対象項目名】全文
【補正方法】変更
【補正の内容】
【考案の詳細な説明】
【技術分野】
【０００１】  本考案は、日常女性が着用しているストッキング（又はパンティストッキング）等着用時の両足内側部分に、脱着用粘着テープを装着することによって、両足を閉じると脱着用粘着テープどおしがくっつきあって、両足が密着して、勝手に開かない様にする為の、脱着用粘着テープ付きストッキング（又はパンティストッキング）である。
【背景技術】
【考案の開示】
【考案が解決しようとする課題】
【０００２】  例えば、女性が電車等の座席又は、公園のベンチ等に座っている場合、つい居眠りしてしまったり、肥満女性の方等無意識のうちに両足が開いてしまい、恥ずかしい思いをすることがあったが、その様な時に両足をくっつけることによって、ストッキングに装着してある脱着用粘着テープの効果によって、両足が密着してが開かない安心感を、得ることができる。
【課題を解決する為の手段】
【０００３】  この考案は、それらの問題を解決する為に発案されたもので、それを図面について説明すると、図１、図２はストッキング（又はパンティストッキング）の着用時の女性の両足内側に、脱着用粘着テープ（１）、（２）を装着したものであり、図３の様に両足を閉じたときに脱着用粘着テープ（１）、（２）が互いにくっつき合って、密着（３）する。
【考案の効果】
【０００４】  したがって、例えば女性がスカート等を着用して座席に着席時、両足が勝手に開き対面する人々等に対して、恥ずかしい思いをすることもなくなり又、座席スタイルの矯正にも役立つものである。
【考案を実施するための最良の形態】
【０００５】脱着用粘着テープは、できるだけ小さい方が良く、互いに少しずらした位置に装着すれば、歩行時に脱着用粘着テープどおしがこすれ合うことがないので、ストッキング（又はパンティストッキング）自体も傷つかず、歩きやすくなる。
【実施例】
【０００６】  なお、実施にあたっては図３の斜視図ように両足は、きちんと密着している状態で、使用後または、立ち上がる時には両膝の間に、指を入れて少しひねるだけで簡単に脱着用粘着テープがはずれて、繰り返し使用できるものである。
【産業上の利用可能性】
【０００７】全人口の約半数は女性で、その中で幼児、老人を除く人々がストッキング（又は、パンティストッキング）を利用されていると思われます、その中でも上記（０００２）の、様な悩みをお持ちの方が、数多くおられると考えられますので、商品化した際に、それらの方々に役立ち、又普及することによって社会や産業に貢献できるものである。
【図面の簡単な説明】
【図１】正面図  女性が起立時の脱着用粘着テープ装着例
【図２】断面図  両足内側の脱着用粘着テープ装着例
【図３】斜視図  本考案の実施例
【符号の説明】
（１）脱着用粘着テープ装着例（右足）  （２）脱着用粘着テープ装着例（左足）  （３）実施時の脱着用粘着テープ密着点の例
【手続補正３】
【補正対象書類名】図面
【補正対象項目名】全図
【補正方法】変更
【補正の内容】
【図１】
0003100647.tif 000005
【図２】
0003100647.tif 000006
【図３】
0003100647.tif 000007
(57)【要約】
【課題】  本考案は、洗濯物を干す際に洗濯じわが出来る事を、洗濯物を内部から押し広げる板バネ製の輪を使用する事によって防ぐ洗濯物干しハンガーである。
【解決手段】  本考案は、洗濯を終え干す際のシャツやズボンの筒状若しくは袋状の部分に、ハンガー本体２の柄の中央部分にフックにより保持することの出来る板バネ製の輪１を楕円形に細長く変形させ挿入し、その復元力によって内部から洗濯物を押し広げる事で洗濯じわを伸す。
【選択図】    図２
0003100646.tif 000002
【実用新案登録請求の範囲】
【請求項１】
筒状、袋状等の洗濯物を内部から押し広げる事を目的とした板バネ製の輪。
【請求項２】
請求項１がハンガー柄部中央に着脱可能出来ることを特徴とした物干しハンガー。
【考案の詳細な説明】
【技術分野】
【０００１】  本考案は板バネ製の輪を着脱可能とした物干しハンガーに関する。
【背景技術】
【０００２】  洗濯物をハンガー等を使い干した場合洗濯じわが残った。
【考案の開示】
【考案が解決しようとする課題】
【０００３】  乾燥を終えた洗濯物のしわを伸ばすにわアイロンがけを必要とし、その作業は時間的、労働的負担であった。従って、ハンガーの機能に洗濯物のしわを伸ばす機能を付加する事により前途の負担を軽減しようとするものである。
【課題を解決するための手段】
【０００４】  本考案は、洗濯を終え干す際のシャツやズボンの筒状若しくは袋状の部分に、ハンガーの柄の中央部分にフックにより保持することの出来る板バネ製の輪を楕円形に細長く変形させ挿入し、その復元力によって内部から洗濯物を押し広げる事で問題点を解決する。
【考案の効果】
【０００５】本来洗濯物を干す作業と洗濯じわを防ぐ若しくは伸ばす作業は別のものであったが、本考案により上述の様に、干す作業にわずかな作業を加えるだけで容易に洗濯じわが寄る事を大幅に軽減できる。
【考案の実施するための最良の形態】
【０００６】  防錆処理を施した直線の鋼製板バネの両端を引き寄せ、金属のクリップでかしめ輪をつくる。ハンガー本体の柄の中央付近に輪の頂点の高さと柄の高さがそろうように輪を保持できるフックを設ける。こうする事により洗濯物をハンガーに掛け乾燥させながら、柄部分に取り付けた板バネ製の輪によって洗濯じわを伸ばすことが出来る。
【実施例】
【０００７】  以下、添付図面に従って一実施例を説明する。図１中の１は防錆処理を施した直線の鋼製板バネの両端を引き寄せ数センチ重ね、金属のクリップ１ａでかしめ輪にしたものである。２はプラスチック等適宜素材にて一体化形成され、柄の中央に１を保持することの出来るフック２ａを有する物干しハンガー本体である。【０００８】  図２は本考案に洗濯物を干した状態を表し、洗濯物の胴体部分に板バネ製の輪１を細長く変形させて挿入しハンガー本体２のフック２ａに保持させたもので、洗濯物は１により内部から押し広げられ洗濯じわを伸ばしながら乾燥することが出来る。【０００９】  図３は板ばね製の輪１の単体での応用例でズボンの裾に通すことで洗濯じわを防ぐことが出来る。同じ様に長袖シャツの袖部分等にも利用可能である。
【図面の簡単な説明】
【００１０】
【図１】本考案の実施例を示す正面図である。
【図２】本考案の実施例の使用例を示す正面図である。
【図３】本考案の応用例の正面図である。
【符号の説明】
【００１１】  １  板バネ製の輪
２  ハンガー本体
【図１】
0003100646.tif 000003
【図２】
0003100646.tif 000004
【図３】
0003100646.tif 000005
【手続補正書】
【提出日】平成15年10月5日(2003.10.5)
【手続補正１】
【補正対象書類名】実用新案登録請求の範囲
【補正対象項目名】全文
【補正方法】変更
【補正の内容】
【実用新案登録請求の範囲】
【請求項１】
ハンガー本体に、シャツやズボン等筒状若しくは袋状の洗濯物を内部から押し広げ洗濯じわを取ることを目的とした、細長い板状のバネを輪にしたものを簡単に着脱出来るフックを有することを特徴とする物干しハンガー。
(57)【要約】      （修正有）【課題】夜間釣り用ウキの動きを明確に感知する魚釣り用ウキを提供する。【解決手段】下部発光ダイオード１は、通常水面上に位置し常時点灯しており、ウキが沈むことにより視認困難となる。一方、上部発光ダイオード２は、ウキが沈下し水面検知極２が水に接すると検知極１と導通され、トランジスターを介して点灯する。一時的な水面接触や飛沫等による上部発光ダイオードの点滅点灯を防止する為コンデンサーを挿入している。下部発光ダイオード１のみを常時点灯させウキの動きにより異色の上部発光ダイオード２を点灯させる。【選択図】図２
0003100641.tif 000002
【実用新案登録請求の範囲】
【請求項１】
図面に示すように、上下に発光ダイオードを配置し喫水面を電気的に検知することにより異なる光色の発光ダイオードを点灯可能にした魚釣り用ウキ。
【考案の詳細な説明】
この実用新案は、夜間釣り用ウキの動きを明確に感知する為浮きの上下動を電気的に直接検知することによって異なる光色の発光ダイオードを点灯可能にした魚釣り用ウキに関するものである。
従来、動きにより光色が変化する釣り用ウキは光りの屈折を利用している為一時的な沈みや横揺れによっても色の変化が見られた。また発光が同一位置にあって浮き沈みによって点灯または消灯をすることなく、ウキの上下動を正確に察知することは困難であった。
本案はこれらの欠点を除くため考案されたもので、ウキの浮き沈みによって別色の発光ダイオードを異なる位置で点灯させたものである。
これを図面について説明すれば、第１図において発光ダイオード１は常時点灯しており通常水面上に位置している。
また、検知極１は水中に配置されている。
ウキが沈むことにより下部発光ダイオード１は水面下に没し目視困難となる一方、第２図において検知極２が水に接することによって検知極１と水を介して導通されトランジスターを介して上部発光ダイオード２は点灯する。
第３図においてコンデンサーＣは検知極２の一時的な水面接触又は飛沫などによる発光ダイオード２の点滅点灯を防止している。
尚、発光ダイオード２は点灯を明瞭に識別するため発光ダイオード１と異なる光色を使用し一層視認性を高めた魚釣り用ウキである。
【図面の簡単な説明】
１、第１図は本案の正面図
２、第２図は本案の断面図（配線省略）
３、第３図は本案の回路図
【図１】
0003100641.tif 000003
【図２】
0003100641.tif 000004
【図３】
0003100641.tif 000005
(57)【要約】
【課題】  本案は、鉄分を嫌う植物植木草花の剪定鋏に関するものです。
従来は、非鉄植物の剪定は人手の指先の爪で行っていましたが、近年外来種の植物が増え、その上肥料も多種類になり、素手の作業は危険です。手袋をして指爪での剪定は思うようにできず困っていました。
【解決手段】その課題を解決したのが、本案の鉄分のない材料で作った剪定鋏です。なお、この剪定鋏には鋏の刃の奥部に、小枝を挟み込める窪みが着けてあります。
この窪みの形は、一度挟んだ小枝が外れないよう出口が深く作られています。これは小枝折り円形鋏装置部です。そして剪定鋏に小枝折り円形構造を装置した鋏を製作し課題を解決しています。
【選択図】  図１
0003100649.tif 000002
【実用新案登録請求の範囲】
【請求項１】
鉄分を付着させない材料セラミックや竹木で製造した鋏と植物の小枝折り挟み爪つきの鋏。
【考案の詳細な説明】
【考案の詳細な説明】
【技術分野】
【０００１】本案は、主に植物に使用する鉄分を付着させない鋏と植物植木の枝を折るために使用する植物枝折り具に関するものです。
【背景技術】
【０００２】  従来、鋏は多種多様な形状のものや材料も鉄を主としステンレス製などが日常用具として存在しますが、植物用のセラミックや竹製木製の鋏はありません。
また、植物の枝折り具や枝折りはさみ爪つきの鋏も剪定鋏もありません。
【考案が解決しようとする課題】
【０００３】  従来の技術で述べた、鉄を主材料とした鋏は切断面に鉄分が付着する欠点がありました。市販されている多くの植木鋏は鉄製であるため、剪定した切り口に鉄分が付着し腐れや枝枯れの被害がありました。エリカ・枝垂れ楓。
【考案が解決するための手段】
【０００４】  上記の課題を解決するため、従来存在しなかった鉄分抜き材料のセラミックや竹、木材で制作し問題を解決しています。
【０００５】  また、植物の剪定には刃物を使わず小枝を折る方法で行うことが良い。とされる種類があります。この小枝折りは、従来人の指の爪で折っていました。そのため指の爪を傷めるなどの問題がありました。考案の小枝折り具爪は、この問題を解決しています。鉄分抜き材で制作しています。
【考案を実施するための最良の形態】
【０００６】    本考案の実施の形態を図面により、材料竹を一例として説明します。
図１，は剪定鋏の見取り図で（１）は鋏の本体Ａ。（２）は鋏の本体Ｂ。です。本体Ａ，Ｂ，は構造も形も同じです。
（３）と（４）は、鋏の本体の刃の部分で竹の皮の部分が刃先になるように作られています。竹の皮の部分が堅く刃物に適しているからです。（５）と（６）は鋏の本体の背の部分で厚みがあります。竹の肉の部分を多く露出させ使用中の安全を図っています。（７）と（８）は指差入れ部です。（９）は鋏の要。合せ止め具です。
（１０）は小枝折りの小枝はさみ込み部の窪み構造部で、鋏のＡＢの刃の奥、元部に付けてあります。この略円形の窪みに小枝をしっかと挟み込み、簡単に折れます。
図２，は剪定鋏の側面見取り図で（１）は鋏の本体背の部分（２）は鋏の本体刃の部分です。
なお、セラミック等を使用した場合は、竹材による場合より簡単に制作できます。
【考案の効果】
【０００７】本考案は上述の通りです。
【０００８】本案はますます外来種の草花が増加するベランダ園芸に安心して使用できる無鉄鋏は園芸愛好家の愛用品になるでしょう。肥料など薬品の付いた植木の植え替えの根切りにもサビが出なく、作業後鋏を水洗できるのも効果の一つです。
【０００９】また、魚貝類、肉類、漬物などの用具としても鉄分の付かない鋏として効果的に活用できます。
【図面の簡単な説明】
【００１０】
【図面１】
竹を材料とした小枝折り挟み爪つき剪定鋏の見取り図
【図面２】
竹を材料とした小枝折り挟み爪つき剪定鋏の刃と背の見取り図
【符号の説明】
図面１について
（１）は鋏の本体Ａ。  （２）は鋏の本体Ｂ。
（３）本体Ａの刃の部分（４）本体Ｂの刃の部分（５）本体Ａの背の部分
（６）本体Ｂの背の部分。
（７）本体Ａの指入れ（８）本体Ｂの指入れ
（９）は鋏の要合せ止め具。
（１０）は小枝折りの小枝はさみ込み部。
図面２について。
（１）本体Ａの背（２）は本体Ａの刃の部
（３）本体Ｂの背（４）は本体Ｂの刃の部
【図１】
0003100649.tif 000003
【図２】
0003100649.tif 000004
【手続補正書】
【提出日】平成15年10月10日(2003.10.10)
【手続補正１】
【補正対象書類名】実用新案登録請求の範囲
【補正対象項目名】全文
【補正方法】変更
【補正の内容】
【実用新案登録請求の範囲】
【請求項１】
鉄分を付着させない材料セラミックや竹木で製造した鋏。
【請求項２】
植物の小枝折り挟み爪を付けた請求項１記載の鋏
(57)【要約】      （修正有）【課題】金網部分（１）と布製の袋（２）とを容易に脱着できるもので組み合わせ、軽量で清潔であり、なおかつ、動物などの形に膨れるという布の特性を生かした楽しさが演出できる穀類膨張機専用の受け止め容器。【解決手段】金網部分（１）を包み込むように布製の袋（２）を面ファスナー（３）で固定し、布製の袋（２）の先端にファスナー（４）を付け、布製の袋（２）を動物の形状にしたことを特徴とする。【選択図】  図１
0003100644.tif 000002
【実用新案登録請求の範囲】
【請求項１】
筒状の金網（１）の側面に布製の袋（２）を取り付ける。
以上のごとく構成された穀類膨張機専用の受け止め容器。
【請求項２】
布製の袋（２）の開口部にマジックテープ（３）を付け、先端にファスナー（４）を取り付けた請求項１の穀類膨張機専用の受け止め容器。
【請求項３】
布製の袋（２）の形状を動物などの形にし、穀類膨張機から生じる水蒸気の力によって動物などの形に膨らむ請求項１の穀類膨張機専用の受け止め容器
【考案の詳細な説明】
【０００１】
【考案の属する技術分野】
この考案は、金網部分と動物などの形をした布製の袋とを組み合わせた、穀類膨張機から飛び出してくる膨張された穀類を受け止める容器に関するものである。
【０００２】
【従来の技術】
従来の受け止め容器は、全体が金網製であった。
【０００３】
【考案が解決しようとする課題】
これには次のような欠点があった。
（イ）  総鉄製であるため重量があり、高齢者や、女性が網をかかえて別の容器に移す作業は困難を伴うものであった。
（ロ）  穀類とともに米ぬかや胚芽部分も飛び出し、それらが金網に引っかかり、金網を汚してしまい、清潔感を損なうものであった。
本考案は、これらの欠点を除くためになされたものである。
【０００４】
【課題を解決するための手段】
筒状の金網（１）の側面に布製の袋（２）を取り付ける。布製の袋（２）の開口部にマジックテープ（３）を取り付け、先端部にはファスナー（４）を取り付ける。布製の袋（２）の形状を動物などの形にする。
本考案は以上のような構成よりなる穀類膨張機専用の受け止め容器である。
【０００５】
【考案の実施の形態】
以下、本案の実施の形態について説明する。
（イ）  筒状の金網（１）の側面に布製の袋（２）を取り付ける。
（ロ）  布製の袋（２）の開口部にマジックテープ（３）を付け、先端の閉口部にはファスナー（４）を取り付ける。
（ハ）  布製の袋（２）の形状を動物などの形にする。
本案を使用するときは、金網部分（１）を穀類膨張機に固定する。すると、穀類膨張機から飛び出す膨張した穀類や付随して出てくる水蒸気を受け止めるとき布製の袋（２）が動物の形に膨らむ。
【０００６】
【考案の効果】本案は以上のような構造で、これを使用するときは、穀類膨張機にしっかりと固定し、穀類膨張機から出てくる穀類や水蒸気を受け止めるとき布製の袋（２）が動物の形などになり、子供たちを楽しませることが出来る。
布製の袋（２）にたまった穀類を他の容器に移し替える際、ファスナー（４）を開いておこなうことが出来る。
作業後、マジックテープ（３）をはずすと布製の袋（２）が金網部分（１）から分離できるので洗濯が容易に出来る。
【図面の簡単な説明】
【図１】本考案の斜視図である。
【図２】本考案の主な２つの部分を分割した斜視図である。
【図３】本考案の使用中の斜視図である。
【図４】同じく、本考案の使用中の斜視図である。
【符号の説明】
１  金網    ２  布製の袋    ３  マジックテープ
４  ファスナー
【図１】
0003100644.tif 000003
【図２】
0003100644.tif 000004
【図３】
0003100644.tif 000005
【手続補正書】
【提出日】平成15年10月21日(2003.10.21)
【手続補正２】
【補正対象書類名】明細書
【補正対象項目名】全文
【補正方法】変更
【補正の内容】
【実用新案登録請求の範囲】
【請求項１】筒状の金網（１）の側面に布製の袋（２）を取り付ける。
以上のごとく構成された穀類膨張機専用の受け止め容器。
【請求項２】布製の袋（２）の開口部に面ファスナー（３）を付け、先端にファスナー（４）を取り付けた請求項１の穀類膨張機専用の受け止め容器。
【請求項３】布製の袋（２）の形状を動物などの形にし、穀類膨張機から生じる水蒸気の力によって動物などの形に膨らむ請求項１の穀類膨張機専用の受け止め容器
【考案の詳細な説明】
【０００１】
【考案の属する技術分野】
この考案は、金網部分と動物などの形をした布製の袋とを組み合わせた、穀類膨張機から飛び出してくる膨張された穀類を受け止める容器に関するものである。
【０００２】
【従来の技術】
従来の受け止め容器は、全体が金網製であった。
【０００３】
【考案が解決しようとする課題】
これには次のような欠点があった。
（イ）  総鉄製であるため重量があり、高齢者や、女性が網をかかえて別の容器に移す作業は困難を伴うものであった。
（ロ）  穀類とともに米ぬかや胚芽部分も飛び出し、それらが金網に引っかかり、金網を汚してしまい、清潔感を損なうものであった。
本考案は、これらの欠点を除くためになされたものである。
【０００４】
【課題を解決するための手段】
筒状の金網（１）の側面に布製の袋（２）を取り付ける。布製の袋（２）の開口部に面ファスナー（３）を取り付け、先端部にはファスナー（４）を取り付ける。布製の袋（２）の形状を動物などの形にする。
本考案は以上のような構成よりなる穀類膨張機専用の受け止め容器である。
【０００５】
【考案の実施の形態】
以下、本案の実施の形態について説明する。
（イ）  筒状の金網（１）の側面に布製の袋（２）を取り付ける。
（ロ）  布製の袋（２）の開口部に面ファスナー（３）を付け、先端の閉口部にはファスナー（４）を取り付ける。
（ハ）  布製の袋（２）の形状を動物などの形にする。
本案を使用するときは、金網部分（１）を穀類膨張機に固定する。すると、穀類膨張機から飛び出す膨張した穀類や付随して出てくる水蒸気を受け止めるとき布製の袋（２）が動物の形に膨らむ。
【０００６】
【考案の効果】
本案は以上のような構造で、これを使用するときは、穀類膨張機にしっかりと固定し、穀類膨張機から出てくる穀類や水蒸気を受け止めるとき布製の袋（２）が動物の形などになり、子供たちを楽しませることが出来る。
布製の袋（２）にたまった穀類を他の容器に移し替える際、ファスナー（４）を開いておこなうことが出来る。
作業後、面ファスナー（３）をはずすと布製の袋（２）が金網部分（１）から分離できるので洗濯が容易に出来る。
【図面の簡単な説明】
【図１】本考案の斜視図である。
【図２】本考案の主な２つの部分を分割した斜視図である。
【図３】本考案の使用中の斜視図である。
【符号の説明】
１  金網    ２  布製の袋    ３  面ファスナー
４  ファスナー